(57)【要約】【課題】コンクリート建築物の屋上に、簡単且つ安価に施工できる外断熱構造を提供する。【解決手段】コンクリート建築物の屋上躯体１の表面上に防水材を施して防水層２・３を形成し、この防水材の上面に防水層２・３を保護する保護材を敷設して保護層４を形成し、更に保護材の上面に所定の大きさからなる粒状の発泡ガラス材５・５・・・を断熱材として敷設して断熱層６を形成する。そして、屋上に敷き詰められた発泡ガラス材５・５・・・を飛散防止用部材７で覆う。【選択図】図１
2005207050.tif 000002
【特許請求の範囲】
【請求項１】
コンクリート建築物の屋上躯体の表面上に防水層を設け、該防水層上に所定の大きさからなる粒状の発泡ガラス材を敷設して断熱層を形成したことを特徴とする建築物の外断熱構造。
【請求項２】
前記防水層と断熱層との間に保護層を形成したことを特徴とする請求項１に記載の建築物の外断熱構造。
【請求項３】
前記発泡ガラス材を飛散防止用部材で覆うように構成したことを特徴とする請求項１又は請求項２に記載の建築物の外断熱構造。
【請求項４】
前記発泡ガラス材とともに、発泡ガラス材からなる成形部材を屋上躯体に敷設したことを特徴とする請求項１乃至請求項３のいずれか一項に記載の建築物の外断熱構造。
【請求項５】
前記発泡ガラス材が、廃棄ガラスを発泡焼成して破砕したものであることを特徴とすることを請求項１乃至請求項４のいずれか一項に記載の建築物の外断熱構造
【発明の詳細な説明】
【技術分野】
【０００１】
本発明は、建築物の躯体に断熱材を敷設して施工する外断熱構造に関し、特にコンクリート建築物の屋上躯体に断熱材を敷設して施工する外断熱構造に関する。
【背景技術】
【０００２】
従来から、建築物の躯体外側に断熱材を敷設して、建築物の躯体と外部との間を断熱する外断熱構造は公知となっている。この外断熱構造では、建築物の躯体の外側に断熱材が存在するため、外気温や太陽光線の照射によるコンクリート等の躯体への影響を排除することができる。つまり、外気温が高い夏期においては、断熱材が外気温や太陽光線を遮断するため、躯体が高温になることがない。そのため、室内の冷房負荷を低減することができる。一方、外気温が低い冬期においては、断熱材により躯体が外気温の影響を受けて低温になることがない。よって、室内はその温度に応じて暖まるので、室内の暖房負荷を低減することができる。また、躯体が直接に外気に触れることがないため、風雨や寒暑等の厳しい気象条件から躯体を保護することができる。
【０００３】
そこで、このような外断熱構造を建築物の屋上や外壁部等に施工することで、都市部で問題となっているヒート・アイランド現象による平均気温の上昇に伴う生活環境の悪化を改善することを可能としている。例えば、外断熱構造としては、建築物の躯体外壁面にモルタル層を塗布等により形成し、このモルタル層の上に発泡ガラスを用いた断熱材を貼り付け、さらに、この断熱材の上にタイル等を一体的に設けたもの（例えば、特許文献１参照。）や、ガラスを発泡状態に焼結して形成されたガラス発泡体を屋上に敷設するもの（例えば、特許文献２参照。）が提案されている。
【０００４】
【特許文献１】特開２００３−２２７２２１号公報
【特許文献２】特開２０００−７２４８０号公報
【発明の開示】
【発明が解決しようとする課題】
【０００５】
しかし、特許文献１に示される技術では、建築物に外断熱構造を施す際に、タイルと断熱材と一体的に構成した外断熱タイルを製造し、この外断熱タイルをモルタル層を介して建築物の躯体表面に取り付ける必要があるので、施工時において手間がかかるとともに、コストが高くなるという問題がある。また、特許文献２に示される技術では、ガラス発泡体を植生用として屋上に敷設することが示されているだけで、施工法や屋上の耐久性を確保するために必要となる防水構造について明らかにされておらず、外断熱構造として不十分なものであった。
【課題を解決するための手段】
【０００６】
本発明の解決しようとする課題は以上の如くであり、次にこの課題を解決するための手段を説明する。
【０００７】
即ち、請求項１においては、コンクリート建築物の屋上躯体の表面上に防水層を設け、該防水層上に所定の大きさからなる粒状の発泡ガラス材を敷設して断熱層を形成したものである。
【０００８】
請求項２においては、前記防水層と断熱層との間に保護層を形成したものである。
【０００９】
請求項３においては、前記発泡ガラス材を飛散防止用部材で覆うように構成したものである。
【００１０】
請求項４においては、前記発泡ガラス材とともに、発泡ガラス材からなる成形部材を屋上躯体に敷設したものである。
【００１１】
請求項５においては、前記発泡ガラス材が、廃棄ガラスを発泡焼成して破砕したものであるものである。
【発明の効果】
【００１２】
本発明の効果として、以下に示すような効果を奏する。
【００１３】
請求項１においては、コンクリート建築物において、優れた断熱効果を得ることができるとともに、断熱層で断熱しながら植物を育成して屋上を緑化できる。したがって、躯体が外気の影響を受け難くなるので、外気によって夏期に高温なることと冬期に低温になることを防止でき、室内における冷房及び暖房負荷を低減することができる。さらに、発泡ガラス材が躯体及び躯体に施した防水層を外気及び太陽光線から遮断するため、躯体及び防水層の劣化を低減させることができる。また、簡単な作業で外断熱構造を建築物に施すことができ、施工コストを安くできる。
【００１４】
請求項２においては、断熱層を形成する断熱材から防水層を保護することができる。
【００１５】
請求項３においては、屋上に敷設した発泡ガラス材が暴風等により飛散するのを防止できる。
【００１６】
請求項４においては、断熱効果を損なうことなく、屋上を歩行可能とすることができる。
【００１７】
請求項５においては、廃棄ガラスを有効に再利用でき、環境的に好ましい。また、廃棄ガラスをガラス原料として利用するため、コストを安価にできる。
【発明を実施するための最良の形態】
【００１８】
次に、発明の実施の形態を説明する。
図１は本発明の外断熱構造を示す図、図２は屋上躯体上に一次防水層を形成した状態を示す図、図３は一次防水層上に二次防水層を形成した状態を示す図、図４は二次防水層上に防水保護層を形成した状態を示す図、図５は防止保護層上に断熱層を形成した状態を示す図、図６は断熱層上に飛散用防止部材を設けた状態を示す図、図７は排水口カバーを配設した排水口部分を示す図、図８は方向用部材を配設した状態を示す図である。
【００１９】
図１に示すように、コンクリート建築物の屋上躯体１の表面上に防水材を施して防水層２・３を形成し、この防水材の上面に防水層２・３を保護する保護材を敷設して保護層４を形成し、更に保護材の上面に所定の大きさからなる粒状の発泡ガラス材５・５・・・を断熱材として敷設して断熱層６を形成することで、本発明の外断熱構造が施工される。
【００２０】
前記外断熱構造を施工するに際には、図２、図３に示すように、まず屋上躯体１の表面上に防水層２・３を設ける。防水層２・３は一次防水層２と二次防水層３とから構成されるものであり、図２に示すように、屋上躯体１の表面上には防水材を施して一次防水層２を形成する。
【００２１】
一次防水層２を形成するために用いる防水材としては、例えば一般的に知られている浸透性のコンクリート改質材を用いる。コンクリート改質材は屋上躯体１の表面に塗布されると、コンクリートからなる屋上躯体１の表面部に浸透し一次防水層２を形成する。このコンクリート浸透性改質材は、屋上躯体１のクラック１ａが発生している箇所では、主成分となるナトリウムシリケートがクラック１ａに浸透し、コンクリート内部の各種カルシウムと水と二酸化炭素と反応してゲル化し、その後ガラス状の固形物となり、クラック１ａを埋めて防水効果を発揮する。なお、クラック１ａのない箇所では、コンクリート浸透性改質材はゲル状を維持し続けて固形化はせず、新たにクラックが発生する等して二酸化炭素が侵入した場合に再びクラックを防ぎながら固形化し、防水効果を保持する。
【００２２】
そして、前記一次防水層２を形成する防水材の上面に別の防水材を施して二次防水層３を形成する。この防水材としては、例えば耐候性に優れてアクリルゴム系防水材を用いる。アクリルゴム系防水材は、前記コンクリート浸透性改質材により形成された一次防水層２上に二次防水層３を形成し、一次防水層２を保護する。
【００２３】
続いて、前記二次防水層３を形成する防水材の上面に防水層保護材を敷設して保護層４を形成する。この防水層保護材としては、例えば不織布を利用し、この不織布により二次防水層３上面に保護層４を形成し、防水材上に敷設する断熱材から防水層２・３を保護する。
【００２４】
次に、前記防水保護層４を形成する防水保護材の上面に断熱材を敷設して断熱層６を形成する。この断熱材としては、きわめて軽量である上、優れた断熱性及び通気性、通水性を有する発泡ガラス材５・５・・・を使用する。この発泡ガラス材５・５・・・は、所定の大きさの粒からなるものであり、連続気泡を有する状態に発泡している。そして、粒状の発泡ガラス材５・５・・・を保護材上に間に空隙ができるように敷き詰め、所定の厚さ、好ましくは１００〜１５０ｍｍの厚さに均して断熱層６を形成する。なお、発泡ガラス材５・５・・・は、その粒径が小さすぎると発泡ガラス材５・５・・・の間の空隙が少なくなって、断熱層６の断熱性及び通気性、通水性が低下し、大きすぎると空隙が大きくなって断熱層６の強度が低下するので、好ましくは平均粒径を５〜１５ｍｍとする。
【００２５】
前記発泡ガラス材５・５・・・は、ガラス瓶やガラス板等の廃棄ガラスを発泡焼成し、焼成したものを破砕して製作したものである。つまり、廃品として回収された廃棄ガラスを用いることで、原料コストを安くするとともに、ガラスを有効に再利用して、環境的にも好ましいものとしている。特に、発泡ガラス材５・５・・・は、原料ガラスの色が特定されないため、廃棄ガラスを発泡ガラス材５・５・・・として利用すると、種々の色に着色している廃棄ガラスを色で選別することなく使用でき、廃棄ガラスのリサイクルの作業をも軽減できる。なお、発泡ガラス材５・５・・・の原料には、必ずしも廃棄ガラスを使用する必要はなく、バージン原料、あるいはバージン原料に廃棄ガラスを添加したものを使用することもできる。
【００２６】
このように、コンクリート建築物の屋上に発泡ガラス材５・５・・・を敷設することで優れた断熱効果を得ることができるとともに、断熱層６で断熱しながら植物を育成して屋上を緑化できる。したがって、躯体１が外気の影響を受け難くなるので、外気によって夏期に高温なることと冬期に低温になることを防止でき、室内における冷房及び暖房負荷を低減することができる。さらに、発泡ガラス材５・５・・・が躯体１及び躯体１に施した防水層２・３を外気及び太陽光線から遮断するため、躯体１及び防水層２・３の劣化を低減させることができる。また、簡単な作業で外断熱構造を建築物に施すことができ、施工コストを安くできる。
【００２７】
次に、以上のようにして屋根躯体１上に敷き詰めた発泡ガラス材５・５・・・からなる断熱材上に飛散防止用部材７を設ける。前記発泡ガラス材５・５・・・は比重が小さいため、暴風等により屋上から飛散してしまう恐れがある。そこで、飛散防止用部材７として、例えばステンレスや合成樹脂からなる網等を用いて発泡ガラス材５・５・・・を覆い、発泡ガラス材５・５・・・の飛散を防止するのである。なお、発泡ガラス材５・５・・・を敷設した面積が広い場合には、アンカーを設ける等して飛散防止用部材７を確実に固定する。
【００２８】
また、屋上躯体１に設けられた排水口１ｂ部分（図７）には、排水口１ｂを覆う排水口カバー８を設ける。この排水口カバー８は、前記断熱材（発泡ガラス材５・５・・・）と同質の発泡ガラス材１１・１１・・・を間に空隙ができるようにバインダーで結合することにより側面断面視略逆Ｕ字状に成形したものであり、排水口１ｂ周囲に形成された防水層２・３を保護する保護材上に配設され、排水口１ｂを覆っている。こうして、排出口１ｂ部分においても、排水口カバー８が断熱層としての役割を果たすため、屋上躯体１における断熱効果が損なわれることがない。さらに、排水口カバー８により排水口１ｂとこの排水口１ｂの周囲に敷き詰められた発泡ガラス材５・５・・・とを遮断することができるので、排水口１ｂに発泡ガラス材が流れ込むことを防止して、排水の詰まりを防止することができる。
【００２９】
また、以上のように屋上一面に断熱材として発泡ガラス材５・５・・・を敷設した場合、発泡ガラス材５・５・・・は踏みつけると破壊されて断熱効果を損なうため、屋上を歩行できないという問題が生じてしまう。そこで、断熱効果を損なうことなく前記外断熱構造を施した屋上を歩行可能とすべく、屋上躯体１上の任意位置に歩行用部材９を敷設することを可能としている。歩行用部材９は、前記ガラス発泡部材と同質の発泡ガラス材１２・１２・・・を間に空隙ができるようにバインダーで結合して、全体の形状を略直方体に成形して製作する（例えば、特開平２００３−２７４０７参照。）。なお、歩行用部材９は特に限定するものではなく、断熱構造を備えたものであればよい。そして、この歩行用部材９を敷き詰められた発泡ガラス材５・５・・・の間であって、防水層２・３を保護する保護材上に任意に敷設することで、歩行用通路を形成する。この場合も、歩行用部材９が保護層４上において断熱層の役割を果たすため、断熱効果を損なうことなく屋上を歩行可能とすることができるのである。
【図面の簡単な説明】
【００３０】
【図１】本発明の外断熱構造を示す図。
【図２】屋上躯体上に一次防水層を形成した状態を示す図。
【図３】一次防水層上に二次防水層を形成した状態を示す図。
【図４】二次防水層上に防水保護層を形成した状態を示す図。
【図５】防止保護層上に断熱層を形成した状態を示す図。
【図６】断熱層上に飛散用防止部材を設けた状態を示す図。
【図７】排水口カバーを配設した排水口部分を示す図。
【図８】方向用部材を配設した状態を示す図。
【符号の説明】
【００３１】
１    屋上躯体
２    一次防水層
３    二次防水層
４    保護層
５    発泡ガラス材
６    断熱層
７    飛散防止用部材
８    排水口カバー
９    歩行用部材
【図１】
2005207050.tif 000003
【図２】
2005207050.tif 000004
【図３】
2005207050.tif 000005
【図４】
2005207050.tif 000006
【図５】
2005207050.tif 000007
【図６】
2005207050.tif 000008
【図７】
2005207050.tif 000009
【図８】
2005207050.tif 000010